(57)【要約】【課題】狙った位置に止水材を留めることで、十分な止水性能を発揮できると共に、周囲を止水材で汚すおそれのない線材の止水構造および止水方法を提供すること。【解決手段】束になった複数の電線Ｗ間の隙間に液状の止水材３を浸透させた後、該止水材３を硬化させる線材の止水方法である。止水材３として、ハードフェライトを含有した磁性流体を用いる。止水材３を電線Ｗ間の隙間に浸透させ、電線Ｗの束の部分の外周を覆うシート１の外側から、止水材３が所定箇所に集まるように電線の束の外部から磁石２により磁界を掛けた状態で止水材３を硬化させる。【選択図】図１
2010136485.tif 000002
【特許請求の範囲】
【請求項１】
束になった複数の線材間の隙間に液状の止水材を浸透させた後、該止水材を硬化させてなる線材の止水構造であって、
前記止水材として、ハードフェライトの磁性超微粒子を液状の止水剤中に分散させた複合材料よりなる磁性流体を用い、該止水材が浸透している前記線材の束の部分の外周を覆うカバー材の外側から前記止水材に磁界を掛けて、前記磁性超微粒子が永久磁石化して相互に吸着し合って前記カバー材内の所定箇所に前記線材間の隙間を埋める止水材の壁を作った状態で前記止水材が硬化していることを特徴とする線材の止水構造。
【請求項２】
前記液状の止水剤中に分散させるハードフェライトの磁性超微粒子が未磁化状態であり、各磁性超微粒子の表面には界面活性剤が強固に吸着されていることを特徴とする請求項１に記載した線材の止水構造。
【請求項３】
前記複数の線材がワイヤハーネスを形成する電線であり、それら電線間の隙間および該電線の束と前記カバー材の内面との隙間に前記止水材が浸透し且つ硬化していることを特徴とする請求項１または請求項２に記載した線材の止水構造。
【請求項４】
前記複数の線材が被覆電線を形成する芯線であり、それら芯線間の隙間および該芯線の束と前記カバー材である絶縁被覆の内面との隙間に前記止水材が浸透し且つ硬化していることを特徴とする請求項１または請求項２に記載した線材の止水構造。
【請求項５】
束になった複数の線材間の隙間に液状の止水材を浸透させた後、該止水材を硬化させる線材の止水方法であって、
前記止水材として、ハードフェライトの磁性超微粒子を液状の止水剤中に分散させた複合材料よりなる磁性流体を用い、
該止水材を前記線材間の隙間に浸透させた後、前記止水材が浸透している前記線材の束の部分の外周を覆うカバー材の外側から磁石により磁界を掛けることで、前記止水材を前記カバー材内の所定箇所に集めて該止水材中のハードフェライトを永久磁石化して相互に吸着させることにより、前記線材間の隙間を埋める止水材の壁を形成し、その状態で前記止水材を硬化させることを特徴とする線材の止水方法。
【請求項６】
前記止水材として、未磁化状態のハードフェライトの磁性超微粒子を液状の止水剤中に分散させ、各磁性超微粒子の表面に界面活性剤を強固に化学吸着させた複合材料よりなる磁性流体を用いることを特徴とする請求項５に記載した線材の止水方法。
【請求項７】
前記複数の線材がワイヤハーネスを形成する電線であり、それら電線間の隙間に前記止水材を浸透させた状態で、前記電線の束の外周に前記カバー材として被せたシートの外側から磁石により磁界を掛けて、前記止水材を前記所定箇所に集めることを特徴とする請求項５または請求項６に記載した線材の止水方法。
【請求項８】
前記複数の線材が被覆電線を形成する芯線であり、それら芯線間の隙間および該芯線の束と前記カバー材である絶縁被覆の内面との隙間に前記止水材を浸透させた状態で、前記絶縁被覆の外側から磁石により磁界を掛けて、前記止水材を前記所定箇所に集めることを特徴とする請求項５または請求項６に記載した線材の止水方法。
【発明の詳細な説明】
【技術分野】
【０００１】
本発明は、ワイヤハーネスを構成する電線間の隙間や被覆電線の芯線間の隙間などを止水する線材の止水構造および線材の止水方法に関する（尚、本発明の説明における『止水』は、水の浸入を阻止することに限らず、水、油、アルコール、等を含む液体全般に有効に作用することを意味するが、ここでは一般的に名称として広く用いられている『止水』を用いて説明する）。
【背景技術】
【０００２】
ワイヤハーネスの電線間（即ち、ワイヤハーネスを形成する線材間）の隙間を止水材で封止する止水方法として、図１３に示すように、ワイヤハーネスを構成する複数の電線Ｗ（即ち、電線Ｗの束）に止水材２００を塗布した後、塗布した箇所にシート（即ち、カバー材）１０を巻き付け、次にシート１０を図示略のクリップで一時的に固定して、止水材２００が硬化した後にシート１０からクリップを外して、当該シート１０の部分を図示略のグロメットの首部で覆い、グロメットをワイヤハーネスに固定するようにしたものが知られている（例えば、特許文献１参照）。この場合、作業上の止水材２００の充填幅Ｂ（シート１０で覆う長さ）は、止水材２００の必要止水幅Ａよりも大きくしてある。
【０００３】
この方法では、止水材２００を塗布した後にシート１０でくるむだけなので、止水材２００が毛細管現象により電線Ｗ間の隙間を伝って必要止水幅Ａの外側へ流失してしまい、思った通りの止水性能が確保できないおそれがある。また、シート１０の外側にはみ出した止水材２００のはみ出し部分２０１が周囲を汚してしまうおそれもある。このように、はみ出し部分２０１が大きくなるように止水材２００が電線Ｗ間の隙間および電線Ｗとシート１０の内面との隙間に浸透後、硬化したワイヤハーネスは、その長さ方向に長い距離にわたって硬い部分を有するものとなってしまい、よってワイヤハーネスに必要な可撓性が低いものとなってしまう。
【０００４】
次に、被覆電線の芯線間（即ち、被覆電線を形成する線材間）の隙間を止水材で封止する止水方法の一例を図１４を参照しながら説明する。図１４に示されるように、被覆電線５１は、その複数の芯線（導体）５３の周囲に絶縁被覆（即ち、カバー材）５４を有する。この被覆電線５１には、その端末部に接続端子５２が圧着されている（即ち、加締められている）。
【０００５】
被覆電線５１への接続端子５２の圧着は、絶縁被覆５４が除去されて芯線５３が露出されている被覆電線５１の端末部を接続端子５２のバレル５５間にセットし、そしてバレル５５を加締めて閉じ、これにより芯線５３および絶縁被覆５４を接続端子５２に圧着固定する。
【０００６】
このような接続端子５２付きの被覆電線５１の芯線５３間を止水する止水方法では、被覆電線５１の端末部に対し、上から（即ち、図１４に向かって手前側から）鎖線楕円６０の中心を目掛けて、流動性のある止水材を滴下供給し、止水材を絶縁被覆５４の内側に浸透させ、これにより芯線５３間の隙間および芯線５３と絶縁被覆５４の内面との隙間が止水材により埋められることを狙っている。尚、止水材としては、東亞合成株式会社製のアロンアルファ（登録商標）等の接着剤が用いられる。
【０００７】
しかしながら、この方法による止水処理では、芯線５３間の隙間および芯線５３と絶縁被覆５４の内面との隙間に毛細管現象のために均一に止水材が流れ込まない。それ故、鎖線楕円６０の中心を目掛けて規定量の止水材を滴下供給しても、芯線５３間あるいは芯線５３と絶縁被覆５４との間に隙間ができて（即ち、隙間が残って）所望の止水効果が得られない可能性が高い。
【０００８】
そのため、大量の止水材を鎖線楕円６０の中心を目掛けて滴下供給すると、隙間を埋めるという点では止水材が有効に作用する反面、止水材が必要止水幅以上に浸透してしまうという欠点が生じてしまう。つまり、止水材が芯線５３間の隙間および芯線５３と絶縁被覆５４との隙間に必要止水幅以上浸透後、硬化した被覆電線５１は、その長さ方向に長い距離にわたって硬い部分を有するものとなってしまい、よって被覆電線５１（即ち、ワイヤハーネス）に必要な可撓性が低いものとなってしまう。
【０００９】
このように、線材間の隙間に浸透させた止水材が何処まで浸透しているかを確認するのが困難な止水構造においては、上述した止水方法では止水処理の信頼性にばらつきが生じてしまう。
【００１０】
【特許文献１】特開２００５−７３３８９号公報
【発明の開示】
【発明が解決しようとする課題】
【００１１】
本発明は、上述した事情に鑑みてなされたものであり、その目的は、狙った位置に止水材を留めることができ、よって十分な止水性能を発揮できると共に、周囲を止水材で汚すおそれのない線材の止水構造および止水方法を提供することにある。
【課題を解決するための手段】
【００１２】
前述した目的を達成するために、本発明に係る線材の止水構造は、下記（１）〜（４）を特徴としている。
（１）  束になった複数の線材間の隙間に液状の止水材を浸透させた後、該止水材を硬化させてなる線材の止水構造であって、
前記止水材として、ハードフェライトの磁性超微粒子を液状の止水剤中に分散させた複合材料よりなる磁性流体を用い、該止水材が浸透している前記線材の束の部分の外周を覆うカバー材の外側から前記止水材に磁界を掛けて、前記磁性超微粒子が永久磁石化して相互に吸着し合って前記カバー材内の所定箇所に前記線材間の隙間を埋める止水材の壁を作った状態で前記止水材が硬化していること。
（２）  上記（１）の構成の止水構造において、
前記液状の止水剤中に分散させるハードフェライトの磁性超微粒子が未磁化状態であり、各磁性超微粒子の表面には界面活性剤が強固に吸着されていること。
（３）  上記（１）または（２）の構成の止水構造において、
前記複数の線材がワイヤハーネスを形成する電線であり、それら電線間の隙間および該電線の束と前記カバー材の内面との隙間に前記止水材が浸透し且つ硬化していること。
（４）  上記（１）または（２）の構成の止水構造において、
前記複数の線材が被覆電線を形成する芯線であり、それら芯線間の隙間および該芯線の束と前記カバー材である絶縁被覆の内面との隙間に前記止水材が浸透し且つ硬化していること。
【００１３】
上記（１）の構成の止水構造によれば、磁力を用いて狙った位置に止水材を集めて硬化させたので、設計通りの止水性能を得ることができると共に、設計範囲外に止水材がはみ出して周囲を汚すのを防止することができる。特に止水材として、ハードフェライトの磁性超微粒子を含有するものを用いており、ハードフェライトは、金属の磁性材料より電気を通しにくく（電気抵抗が大きい）、サビや薬品に強いので、万一、カバー材が損傷して線材の束が露出した場合にも、漏電が生じたり、薬品などに侵される心配がない。
上記（２）の構成の止水構造によれば、未磁化状態のハードフェライトの磁性超微粒子を用いるので、磁場に晒すことで永久磁石化した磁性超微粒子と硬化した止水剤とによって堅固な止水壁を作ることができ、信頼性の高い止水性能を発揮できる。即ち、ハードフェライトの磁性超微粒子は、注入前は互いにくっついてしまわないように未磁化状態で止水剤の中に混入させてあるので、均一に分散した状態になっているが、強い磁界を掛けると、硬磁性を有しているので永久磁石化する。そして、磁性超微粒子の１粒１粒が小さな永久磁石となることにより、互いにくっつき合って、線材間の隙間を埋める壁を構成し、その状態で止水剤が硬化しているので、永久磁石の集積体と止水剤による強固な壁ができており、その壁の働きにより、信頼性の高い止水性能を発揮できるようになる。
上記（３）の構成の止水構造によれば、ワイヤハーネスを構成する電線間の隙間および該電線の束とカバー材の内面との隙間が効果的に止水される。また、この止水構造では、ワイヤハーネスに必要な可撓性を極力低めずに前記隙間が止水される。また、この止水構造のように止水材の磁性体を纏った電線は、フェライトが装着された場合と同様、通電された際にノイズ低減効果を奏する。
上記（４）の構成の止水構造によれば、被覆電線を構成する芯線間の隙間および該芯線の束と絶縁被覆の内面との隙間が効果的に止水される。また、この止水構造では、被覆電線に必要な可撓性を極力低めずに前記隙間が止水される。また、この止水構造のように止水材の磁性体を纏った芯線は、フェライトが装着された電線と同様、通電された際にノイズ低減効果を奏する。
【００１４】
前述した目的を達成するために、本発明に係る線材の止水方法は、下記（５）〜（８）を特徴としている。
（５）  束になった複数の線材間の隙間に液状の止水材を浸透させた後、該止水材を硬化させる線材の止水方法であって、
前記止水材として、ハードフェライトの磁性超微粒子を液状の止水剤中に分散させた複合材料よりなる磁性流体を用い、
該止水材を前記線材間の隙間に浸透させた後、前記止水材が浸透している前記線材の束の部分の外周を覆うカバー材の外側から磁石により磁界を掛けることで、前記止水材を前記カバー材内の所定箇所に集めて該止水材中のハードフェライトを永久磁石化して相互に吸着させることにより、前記線材間の隙間を埋める止水材の壁を形成し、その状態で前記止水材を硬化させること。
（６）  上記（５）の構成の止水方法において、
前記止水材として、未磁化状態のハードフェライトの磁性超微粒子を液状の止水剤中に分散させ、各磁性超微粒子の表面に界面活性剤を強固に化学吸着させた複合材料よりなる磁性流体を用いること。
（７）  上記（５）または（６）の構成の止水方法において、
前記複数の線材がワイヤハーネスを形成する電線であり、それら電線間の隙間に前記止水材を浸透させた状態で、前記電線の束の外周に前記カバー材として被せたシートの外側から磁石により磁界を掛けて、前記止水材を前記所定箇所に集めること。
（８）  上記（５）または（６）の構成の止水方法において、
前記複数の線材が被覆電線を形成する芯線であり、それら芯線間の隙間および該芯線の束と前記カバー材である絶縁被覆の内面との隙間に前記止水材を浸透させた状態で、前記絶縁被覆の外側から磁石により磁界を掛けて、前記止水材を前記所定箇所に集めること。
【００１５】
上記（５）の構成の止水方法によれば、磁石を使用することにより、狙った位置に止水材を必要な時間だけ集めて硬化させることができるので、設計通りの止水性能を得ることができると共に、設計範囲外に止水材がはみ出して周囲を汚すのを防止することができる。
上記（６）の構成の止水方法によれば、止水材として、未磁化状態のハードフェライトの磁性超微粒子を含有するものを使用するので、磁場に晒すことで永久磁石化した磁性超微粒子と硬化した止水剤とによって堅固な止水壁を作ることができ、信頼性の高い止水性能を発揮できる。即ち、ハードフェライトの磁性超微粒子は、注入前は互いにくっついてしまわないように未磁化状態で止水剤の中に混入させてあるので、均一に分散した状態になっているが、強い磁界を掛けると、硬磁性を有しているので永久磁石化する。そして、磁性超微粒子の１粒１粒が小さな永久磁石となることにより、互いにくっつき合って、線材間の隙間を埋める壁を構成することができ、その状態で止水剤を硬化させることにより、永久磁石の集積体と止水剤による強固な壁を作ることができ、その壁の働きにより、信頼性の高い止水性能を発揮できるようになる。また、ハードフェライトは、金属の磁性材料より電気を通しにくく（電気抵抗が大きい）、サビや薬品に強いので、カバー材が損傷して線材の束が露出した場合にも、漏電が生じたり、薬品などに侵される心配もない。
上記（７）の構成の止水方法によれば、ワイヤハーネスを構成する電線間の隙間および該電線の束とカバー材の内面との隙間を効果的に止水することができる。また、この止水方法では、ワイヤハーネスに必要な可撓性を極力低めずに電線間の隙間を止水することができる。また、この止水方法を実施して得た電線の束は、止水材の磁性体を纏っているので、フェライトが装着された場合と同様に、通電された際にノイズ低減効果を奏する。
上記（８）の構成の止水方法によれば、被覆電線を構成する芯線間の隙間および該芯線の束と絶縁被覆の内面との隙間を効果的に止水することができる。また、この止水方法では、被覆電線に必要な可撓性を極力低めずに芯線間の隙間を止水することができる。また、この止水方法を実施して得た被覆電線は、止水材の磁性体を纏っているので、フェライトが装着された場合と同様に、通電された際にノイズ低減効果を奏する。
【発明の効果】
【００１６】
本発明によれば、狙った位置に止水材を留めることができるので十分な止水性能を発揮できると共に、周囲を止水材で汚すおそれもなくなる。
【００１７】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１８】
以下、本発明に係る好適な実施形態を図面に基づいて詳細に説明する。
【００１９】
＜第１実施形態＞
図１は第１実施形態の止水方法を実施している状態を示す図であって、図１（ａ）は斜視図、そして図１（ｂ）は原理説明のための図（磁石の断面図、およびシート内の透視図を含む。）、図２は止水材の構成を説明するための概略図である。
【００２０】
図１（ａ）および（ｂ）に示される第１実施形態の止水方法では、まず、カバー材としてのシート１と、磁石２と、液状の止水材３とを用意する。シート１としては、磁石２の磁束が通過可能で液状の止水材３が浸透しない非磁性の樹脂シート等を用いる。磁石２としては、半径方向に磁化（着磁）され外周側と内周側それぞれに磁極（Ｎ極とＳ極）を持つリング状の永久磁石を用いる。尚、本実施形態では半割れ可能に構成された永久磁石を磁石２として用いたが、一体形成された永久磁石であってもよい。
【００２１】
止水材３としては、磁性流体を用いる。つまり止水材３は、図２に示すように、ベース液となる液状の止水剤（即ち、接着剤等といった樹脂）３ａの中に極めて複数の磁性超微粒子（即ち、磁性体）３ｂを均一に分散させたもの（複合材料）であって、各磁性超微粒子の表面には界面活性剤が強固に化学吸着されている。磁性超微粒子３ｂは、激しい熱運動と、表面の界面活性剤層の相互反発力のため、止水剤３ａ内で凝集することなく安定な分散状態を保つ。磁性超微粒子３ｂとしては、ここではハードフェライトの粉末を用いている。ここで用いるハードフェライトは、硬磁性を示す強磁性体であり、止水剤３ａと混合した段階で未磁化状態となっている。
【００２２】
次に、ワイヤハーネスを構成する電線（本実施形態では銅を導体とした被覆電線）Ｗの束の止水すべき箇所に、上述の止水材３を塗布して、電線Ｗ間の隙間に止水材３を浸透させた状態で、止水材３を塗布した箇所に、シート１を巻き付ける。その後、磁石２をシート１の外側からあてがい、シート１の外側から止水材３に磁界を掛ける。そうすると、特に図１（ｂ）に示すように磁力線１０の作用で、止水材３が止水すべき範囲にわたる電線Ｗ間の隙間および該電線Ｗの束とシート１の内面との隙間を埋めるように集まる。そこで、この状態を維持しながら、止水材３を硬化させる。そうすることにより、シート１内の所定箇所に止水材３が集められて硬化されたワイヤハーネスの止水構造が出来上がる。
【００２３】
尚、この止水方法では、まず電線Ｗの束に止水材３を塗布した後、該止水材３を塗布した箇所にシート１を巻き付ける手順を採っているが、その代わりに、先ず電線Ｗの束にシート１を巻き付けた後、電線Ｗ間の隙間および該電線Ｗの束とシート１の内面との隙間に止水材３を浸透するよう注入する手順を採ってもよい。その場合の方法については後述する。
【００２４】
このように、磁石２を使用することによって、図３に示すように、狙った位置に必要な時間だけ止水材３を集めて、止水材３を硬化させることができるので、設計通りの止水性能を得ることができると共に、設計範囲外に止水材３がはみ出して周囲を汚すのを有効に防止することができる。
【００２５】
また、止水材３が、未磁化状態のハードフェライトの磁性超微粒子３ｂを含有するものであるから、図４（ａ）および（ｂ）に示すように、磁場に晒すことで永久磁石化したハードフェライトと硬化した止水剤とによって堅固な止水壁３０を作ることができ、信頼性の高い止水構造を得ることができる。即ち、ハードフェライトは、注入前は互いにくっついてしまわないように未磁性状態で止水剤の中に混入させてあるので均一に分散した状態になっているが、強い磁界を掛けると、硬磁性を示すので永久磁石化する。そして、ハードフェライトの１粒１粒が小さな永久磁石となることにより、互いにくっつき合って、電線Ｗ間の隙間を埋める壁を構成する。その状態で止水剤が硬化するので、永久磁石と止水剤による強固な壁３０が形成されることになり、信頼性の高い止水性能を発揮できるようになる。図５はその壁３０を模式的に示しているが、電線Ｗの隙間を永久磁石と止水剤による強固な壁３０が埋めるので、強固な止水構造が出来上がる。
【００２６】
従って、ワイヤハーネスを構成する電線Ｗ間の隙間および該電線Ｗの束とシート１の内面との隙間を効果的に止水することができる。また、この止水方法では、ワイヤハーネスに必要な可撓性を極力低めずに電線Ｗ間の隙間を止水することができる。また、この止水方法を実施して得た電線の束は、止水材３の磁性体を纏っているので、フェライトが装着された場合と同様に、通電された際にノイズ低減効果を奏する。
【００２７】
なお、止水材３の中に含ませる硬磁性の磁性超微粒子として、鉄粉のように錆びやすい性質を持つ物質を使用している場合は、図３に示すように電線Ｗの両側から入ってくる外気や水分Ｓの影響で磁性超微粒子３ｂが錆びることが通常は懸念されるが、磁石２の作用で磁性超微粒子３ｂの分布を止水材３の中央に多く集めることにより、その両側の止水材３の主成分である止水剤が、外気や水分Ｓを遮断し、防錆効果を奏する。
【００２８】
＜第２実施形態＞
上述した第１実施形態では、本発明を、ワイヤハーネスを構成する電線（被覆電線）Ｗ間の隙間および該電線Ｗの束とシート１の内面との隙間を止水材で封じる場合に適用した例について説明したが、本発明は、被覆電線を構成する芯線間の隙間および該芯線の束とその周りの絶縁被覆の内面との隙間を止水材で封じる場合にも適用することができる。
【００２９】
図６はその場合の止水構造および止水方法の例を示している。
この場合は、被覆電線Ｗの端末部にある銅製の芯線Ｗａの露出部分に、止水材供給装置２０から止水材３を滴下し、毛細管現象を利用して止水予定箇所の芯線Ｗａ間の隙間に止水材３を浸透させる。
【００３０】
その後、磁石２を絶縁被覆Ｗｂの外側からあてがい、絶縁被覆Ｗｂの外側から止水材３に磁界を掛ける。そうすると、前記と同様の磁力線の作用で、止水材３が止水すべき範囲にわたる芯線Ｗａ間の隙間および該芯線Ｗａと絶縁被覆Ｗｂの内面との隙間を埋めるように集まる。そこで、この状態を維持しながら、止水材３を硬化させる。そうすることにより、絶縁被覆Ｗｂ内の所定箇所に止水材３が集められて硬化されたワイヤハーネスの止水構造が出来上がる。
【００３１】
この場合も、第１実施形態と同様に、被覆電線Ｗを構成する芯線Ｗａ間の隙間および該芯線Ｗａの束と絶縁被覆Ｗｂの内面との隙間を効果的に止水することができる。また、この止水方法では、被覆電線Ｗに必要な可撓性を極力低めずに芯線Ｗａ間の隙間を止水することができる。また、この止水方法を実施して得た被覆電線の止水構造では、止水材３の磁性体を纏っているので、フェライトが装着された場合と同様に、通電された際にノイズ低減効果を奏する。
【００３２】
また、ハードフェライトを含有した止水材３を使用していることにより、上記実施形態と同様に、永久磁石化したハードフェライトと硬化した止水剤によって堅固な止水壁を作ることができるので、信頼性の高い止水構造を得ることができる。また、このようにハードフェライトを含有する止水材３を用いて止水処理を行った場合は、ハードフェライトが金属の磁性材料より電気を通しにくく（電気抵抗が大きい）、サビや薬品に強いので、絶縁被覆Ｗｂがたとえ損傷して芯線Ｗａの束が露出した場合にも、漏電が生じたり、薬品などに侵される心配がない。
【００３３】
また、図１３の従来例と同様に、接続端子５２が端末部に取り付けられた被覆電線Ｗの場合でも、図７に示すように、第２実施形態の止水方法を適用することができる。
【００３４】
また、上記第１実施形態および第２実施形態においては、止水材３を電線Ｗの束に塗布したり、芯線Ｗａの露出部分に滴下したりすることにより、止水予定箇所に止水材３を浸透させる場合を示したが、止水予定箇所に止水材を注入ノズルを用いて注入するようにしてもよい。
【００３５】
＜第３実施形態＞
図８は注入ノズル２２を用いて止水材３を供給する場合の第３実施形態の止水方法の説明図であり、（ａ）は斜視図、そして（ｂ）はシートの一部を破断して示す側面図である。
【００３６】
この止水方法では、まず、ワイヤハーネスを構成する電線（本実施形態では銅を導体とした被覆電線）Ｗの束の止水すべき箇所にシート１を巻き付ける。その際、シート１の内側に止水材供給装置２０（この場合は注射器状の器具）の注入ノズル２２を配した状態で、注入ノズル２２を電線Ｗと一緒にシート材１で巻く。注入ノズル２２の先端は、電線Ｗの長手方向に沿って予め狙った止水予定位置Ｐまで挿入しておく。そして、この状態で、注入ノズル２２の先端から止水材３を注入し、電線Ｗ間の隙間に止水材３を浸透させる。
【００３７】
その後、注入ノズル２２をシート１の内側から引き抜き、次に磁石２をシート１の外側からあてがい、シート１の外側から止水材３に磁界を掛ける。そうすると、磁力線１０の作用で、止水材３が止水すべき範囲にわたる電線Ｗ間の隙間および該電線Ｗの束とシート１の内面との隙間を埋めるように集まる。そこで、この状態を維持しながら、止水材３を硬化させる。そうすることにより、シート１内の所定箇所に止水材３が集められて硬化されたワイヤハーネスの止水構造が出来上がる。
【００３８】
このように、磁石２を使用することにより、狙った位置に必要な時間だけ止水材３を集めて、該止水材３を硬化させるので、設計通りの止水性能を得ることができると共に、設計範囲外に止水材３がはみ出して周囲を汚すのを有効に防止することができる。
【００３９】
また、止水材３の注入を、注入ノズル２２を用いて予め狙った位置に向けて行うので、設計位置外に余分な止水材３がはみ出すのを極力抑えることができると共に、止水材３を無駄なく効率よく使用することができる。また、注入ノズル２２を電線Ｗの長手方向に沿って予め狙った位置まで挿入した状態で、止水材３を電線Ｗの隙間に注入するので、シート１で電線Ｗの束を覆った状態で、シート１に孔を開けることなく、電線Ｗ間の隙間に止水材３を浸透させることができる。また、止水材３の注入後に、止水材３が硬化を始める前に、注入ノズル２２を電線Ｗから取り外すので、注入ノズル２２が邪魔になることもない。
【００４０】
尚、上記第３実施形態では、止水材３を注入した後で磁界を掛ける場合を示したが、磁界を掛けながら止水材３を注入することもできる。ただし、止水材３の注入の段階で強い磁界を掛けると、止水材３の流動性が悪くなり、注入性や浸透性が悪くなる可能性があるので、この段階での磁界は弱く掛けるのが好ましい。
【００４１】
また、上記第３実施形態では、止水構造を電線Ｗの束の長手方向の１箇所に作る場合を説明したが、図９に示すように、電線Ｗの束の長手方向の複数箇所に同時に止水構造を作ることもできる。その場合は、止水材３の注入ポイントにそれぞれ注入ノズル２２の先端を導いで止水材３の注入を行うと共に、それぞれの注入ポイントに磁石２を配置して、上記と同様の操作を行えばよい。
【００４２】
＜第４実施形態＞
上述した第３実施形態では、注入ノズル２２を用いて、ワイヤハーネスを構成する電線（被覆電線）Ｗ間の隙間に止水材３を注入する場合を説明したが、被覆電線を構成する芯線間の隙間に注入ノズルを用いて止水材を供給するようにしてもよい。
【００４３】
図１０はその場合の第４実施形態の止水方法の例を示している。この場合は、被覆電線Ｗの端末部にある銅製の芯線Ｗａの露出部分から、止水材供給装置２０の注入ノズル２２を挿入し、注入ノズル２２の先端を、止水すべき箇所に到達させる。そして、その状態で、注入ノズル２２の先端から止水材３を注入して、止水予定箇所の電線Ｗ間の隙間に止水材３を浸透させる。
【００４４】
その後、注入ノズル２２を絶縁被覆Ｗｂの内側から引き抜き、次に磁石２を絶縁被覆Ｗｂの外側からあてがい、絶縁被覆Ｗｂの外側から止水材３に磁界を掛ける。そうすると、前記と同様の磁力線の作用で、止水材３が止水すべき範囲にわたる芯線Ｗａ間の隙間および該芯線Ｗａと絶縁被覆Ｗｂの内面との隙間を埋めるように集まる。そこで、この状態を維持しながら、止水材３を硬化させる。そうすることにより、絶縁被覆Ｗｂ内の所定箇所に止水材３が集められて硬化されたワイヤハーネスの止水構造が出来上がる。
【００４５】
この場合も、第１実施形態と同様に、被覆電線Ｗを構成する芯線Ｗａ間の隙間および該芯線Ｗａの束と絶縁被覆Ｗｂの内面との隙間を効果的に止水することができる。また、この止水方法では、被覆電線Ｗに必要な可撓性を極力低めずに芯線Ｗａ間の隙間を止水することができる。また、この止水方法を実施して得た被覆電線の止水構造では、止水材３の磁性体を纏っているので、フェライトが装着された場合と同様に、通電された際にノイズ低減効果を奏する。
【００４６】
また、上記第４実施形態では、予め狙った位置の芯線Ｗａ間の隙間に止水材３を注入する際に、注入ノズル２２の先端を芯線Ｗａに沿って目的の箇所まで挿入して止水材３を注入する場合について説明したが、図１１（ａ）および（ｂ）に示すように、絶縁被覆Ｗｂを突き通して、芯線Ｗａの束の内部に注入ノズル２２の先端を突き刺し、その状態で止水材３を芯線Ｗａ間に注入して、注入した止水材３が浸透した状態で、注入ノズル２２を引き抜き、図１２に示すように、絶縁被覆Ｗｂの周囲に配した磁石２により外部から磁界を掛けて、その状態で止水材３を硬化させるようにすることもできる。その場合、絶縁被覆Ｗｂに注入ノズル２２を突き刺した所に孔が残るが、その孔は非常に小さくて済むので、磁界を掛けたときに止水材３が外に漏れる心配もないし、止水材３が硬化した後は孔が塞がれるので、止水性能の上で何ら問題を生じることもない。
【００４７】
尚、この注入ノズル２２の先端を芯材Ｗａの束の内部に突き刺す方法は、上記第３実施形態の電線Ｗ間の隙間に止水材を注入する場合にも適用することができる。
【００４８】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４９】
上述した実施形態では、止水材３として、未磁化状態のハードフェライトの磁性超微粒子３ｂを液状の止水剤３ａ中に分散させ、各磁性超微粒子３ｂの表面に界面活性剤を強固に化学吸着させた複合材料よりなる磁性流体を用いたが、磁性超微粒子３ｂが止水剤３ａ中に均一に分散していれば各磁性超微粒子３ｂの表面に界面活性剤が強固に化学吸着していなくてもよい。
【００５０】
また、磁石２については、例えば、２分割可能、３分割可能、４分割可能、等といったように分割可能に構成されたものが好ましい。このように分割可能な磁石は、線材の周りに配置し易いので好ましい。例えば、半割れ可能に構成された磁石の場合、図示した磁石の磁極（Ｎ極とＳ極）の配置に準拠すると、磁石の第１半円弧部の外周側部分がＮ極、そして内周側部分がＳ極となり、そして磁石の第２半円弧部の外周側部分がＳ極、そして内周側部分がＮ極となる。尚、このように、内周部でＮ極とＳ極が対向する位置にあるリング状の磁石は、線材を通過する磁束が多くなるので、好ましい。
【００５１】
但し、磁石の磁極（Ｎ極とＳ極）の配置については、図示した配置に限らず、止水材を所定箇所に集められる配置であれば、何でもよい。また、磁石の形についてもリング状に限らず、止水材を所定箇所に集められるものであれば、何でもよい。但し、リング状の磁石は、止水材を浸透させた線材に対してその周りから集中して磁界を掛け易いので好ましい。
【００５２】
また、上記止水方法においては、磁石２として永久磁石を用いていたが、電磁石を用いることもできる。電磁石に流す電流は、直流の他に交流も採用することができる。
【００５３】
例えば、電磁石に交流を流すと共に、止水材として、ベース液となる液状の止水剤（即ち、接着剤等といった樹脂）の中に極めて複数の針状の硬磁性の磁性超微粒子（針状の磁性体）を均一に分散させた磁性流体を用いた場合について考えてみる。この止水材の各磁性超微粒子の表面には、上述の止水材３と同様に界面活性剤が強固に化学吸着されており、磁性超微粒子は、激しい熱運動と、表面の界面活性剤層の相互反発力のため、止水剤内で凝集することなく安定な分散状態を保つ。その他は第１実施形態と同じである。
【００５４】
この場合は、電磁石のコイルに交流電流を流すことで交番磁界が発生し、その交番磁界により止水材が所定箇所に集められる。そして、磁性流体（止水材）中の針状の磁性体が微細な磁石として働くと共に、交番磁界によって連続的に向きが変えられることにより、止水材が攪拌される効果を奏する。それ故、狙った位置に止水材の止水剤を充填させやすくなる。そして、この状態を維持しながら、止水材を硬化させることにより、所定箇所に止水材が集められて硬化されたワイヤハーネスの止水構造が出来上がる。
【図面の簡単な説明】
【００５５】
【図１】本発明の第１実施形態の止水方法を実施している状態を示す図であって、（ａ）は斜視図、そして（ｂ）は原理説明のための図（磁石の断面図、およびシート内の透視図を含む。）である。
【図２】止水材の構成を説明するための概略図である。
【図３】同実施形態の止水方法を実施した場合の止水材中の磁性体の分布状況を示す図である。
【図４】止水材としてハードフェライトを含有するものを用いた場合にできる止水壁の概念図で、（ａ）は斜視図、（ｂ）は誇張して示す断面図である。
【図５】同止水壁の実際のでき方を示す断面図である。
【図６】本発明の第２実施形態の止水方法を実施している状態を示す図であって、（ａ）は斜視図、そして（ｂ）は原理説明のための図（磁石の断面図、および絶縁被覆の断面図を含む。）である。
【図７】同第２実施形態の適用例を示す側面図である。
【図８】本発明の第３実施形態の止水方法の説明図であり、（ａ）は斜視図、そして（ｂ）はシートの一部を破断して示す側面図である。
【図９】複数箇所の止水を一緒に行う場合の止水方法の説明図である。
【図１０】本発明の第４実施形態の止水方法を実施している状態を示す斜視図である。
【図１１】第４実施形態の変形例の止水方法を実施している状態を示す図で、（ａ）は側断面図、（ｂ）は横断面図である。
【図１２】被覆電線の芯線間の隙間に止水材の注入を終えた後に、磁石を用いて止水材を特定箇所に集中させている様子を示す側面図である。
【図１３】従来例を示す斜視図である。
【図１４】他の従来例を示す上面図である。
【符号の説明】
【００５６】
１  シート（カバー材）
２  磁石
３  止水材
３ａ  止水剤
３ｂ  磁性超微粒子（ハードフェライト）
３０  止水壁
Ｗ  電線（線材）
Ｗａ  芯線
Ｗｂ  絶縁被覆（カバー材）
【図１】
2010136485.tif 000003
【図２】
2010136485.tif 000004
【図３】
2010136485.tif 000005
【図４】
2010136485.tif 000006
【図５】
2010136485.tif 000007
【図６】
2010136485.tif 000008
【図７】
2010136485.tif 000009
【図８】
2010136485.tif 000010
【図９】
2010136485.tif 000011
【図１０】
2010136485.tif 000012
【図１１】
2010136485.tif 000013
【図１２】
2010136485.tif 000014
【図１３】
2010136485.tif 000015
【図１４】
2010136485.tif 000016